(57)【要約】  異なる直径のケーブル及び／又はダクトを導管内に保持するためのシステムであって、このシステムは、このような導管内に挿入するための複数のゴム質又はゴム状スリーブを有しており、複数のスリーブは、互いに平行に向き合せされ、接合されたスリーブから構成される複数のユニットを有しており、スリーブは各ユニット内で対応する外寸を有しており、少なくとも１つのユニットは、複数のユニットのうちの少なくとも１つの他のユニットのスリーブの内径とは異なる内径のスリーブを有しており、複数のユニット及びユニットの寸法は、ユニットのスタックを形成することができるようなものであり、ユニットのスタックにおいて、各スリーブは他のスリーブのいずれかと平行に向き合せされ、ユニットのスタックは、矩形形状であり、矩形形状の各側部が複数のスリーブの存在によって細かく形作られ、各エッジ部は１つ、２つ又は３つのスリーブの存在によって細かく形作られる。
2017529494.tif 000002
【特許請求の範囲】
【請求項１】
異なる直径のケーブル及び／又はダクトを導管内に保持するためのシステムであって、当該システムは、そのような導管内に挿入するための複数のゴム質又はゴム状スリーブを有しており、前記複数のスリーブが、互いに平行に向き合せされ、接合されたスリーブから構成される複数のユニットを有しており、前記スリーブは各ユニット内で対応する外寸を有しており、少なくとも１つのユニットは、前記複数のユニットのうちの少なくとも１つの他のユニットのスリーブの内径とは異なる内径のスリーブを有しており、前記ユニットの数及び該ユニットの寸法は、ユニットのスタックを形成することができるようなものであり、前記ユニットのスタックでは、各スリーブは他のスリーブのいずれかと平行に向き合せされ、前記ユニットのスタックは、矩形形状であり、該矩形形状の各側部が複数のスリーブの存在により細かく形作られ、各エッジ部は１つ、２つ又は３つのスリーブの存在により細かく形作られる、
システム。
【請求項２】
各ユニットにおいて、前記スリーブの長さは、互いに対応する、請求項１に記載のシステム。
【請求項３】
前記スリーブが全て１つの層に位置付けされるような少なくとも１つのユニットを含む、請求項１又は２に記載のシステム。
【請求項４】
スリーブの層を有する少なくとも１つのユニットを含む、請求項１又は２に記載のシステム。
【請求項５】
各ユニットが、１つ又は複数の層の高さを除いて、他のユニットのいずれかの寸法に対応する寸法を有する、請求項３又は４に記載のシステム。
【請求項６】
前記スリーブの内径が各スリーブに対して同じであるような少なくとも１つのユニットを含む、請求項１乃至５のいずれか一項に記載のシステム。
【請求項７】
当該システムは、少なくとも１つの前記ユニットが位置付けされる少なくとも１つの表面を提供するために、ユニットのスタックにおいて２つのユニットの間の配置するための少なくとも１つのプレートを含む、請求項１に記載のシステム。
【請求項８】
前記少なくとも１つのプレートの各々は、２つの方向に、前記ユニットのスタック少なくとも１つの寸法に対応する寸法を有する、請求項７に記載のシステム。
【請求項９】
前記少なくとも１つのプレートには、対向して位置付けられた２つのリムのそれぞれに、導管内への前記プレートの挿入を容易にするとともに、前記プレートをクランプ状態で位置付けすることを容易にするための複数のリブが設けられる、請求項８に記載のシステム。
【請求項１０】
少なくとも１つのユニットの少なくとも１つのスリーブには、前記スリーブの全長に亘って延びるスリットが設けられており、ケーブル及びそのスリーブを同軸位置に向けて互いに横方向に移動させることにより、前記スリットを介してスリーブ内にケーブルが配置される、請求項１乃至９のいずれか一項に記載のシステム。
【請求項１１】
少なくとも１つのユニットにおいて、複数の隣接するスリーブには、このようなスリットが設けられている、請求項１０に記載のシステム。
【請求項１２】
前記スリットの少なくとも１つが２つの隣接するスリーブによって共有され、そのスリーブのうちの１つが２つのスリットを有する、請求項１１に記載のシステム。
【請求項１３】
２つのスリットを有する前記スリーブについて、前記２つのスリットの一方が隣接するスリーブと共有され、前記２つのスリットの他方が隣接するスリーブと共有されるスリットの反対側に位置付けされる、請求項１２に記載のシステム。
【請求項１４】
前記スリーブは、円形の断面を有する、請求項１乃至１３のいずれか一項に記載のシステム。
【請求項１５】
前記少なくとも１つのユニットは、その外部に、前記スリーブの長さ方向に延びるとともに、それぞれのユニットにおいて前記スリーブの層方向に延びる平坦面を有する、請求項１乃至１３のいずれか一項に記載のシステム。
【請求項１６】
前記少なくとも１つのユニットは、ブロック形状の外形を有する、請求項１５に記載のシステム。
【請求項１７】
当該システムは、少なくとも１つのシングル・スリーブも含み、これらのシングル・スリーブの少なくとも１つを当該システムの別のスリーブ内に挿入するための外側断面寸法を有する、請求項１乃至１６のいずれか一項に記載のシステム。
【請求項１８】
前記少なくとも１つのシングル・スリーブには、複数の内腔が設けられる、請求項１７に記載のシステム。
【請求項１９】
前記シングル・スリーブには、閉じ込め内で自己固定のために軸線方向に分離された複数の外部リブが設けられ、リブは、そのような自己固定を可能にする寸法を有する、請求項１７又は１８に記載のシステム。
【請求項２０】
ブロック形状の、星形状の、又は円形状の断面を有する、請求項１７乃至１９のいずれか一項に記載のシステム。
【請求項２１】
前記スリーブは、熱膨張性のゴム状材料から作製される、請求項１乃至２０のいずれか一項に記載のシステム。
【請求項２２】
前記スリーブは、加硫された熱的に実質的に非膨張性のゴム質材料から作製される、請求項１乃至１８のいずれか１項に記載のシステム。
【請求項２３】
前記少なくとも１つのプレートは、熱膨張性のゴム状材料又は加硫された熱的に実質的に非膨張性のゴム質材料から作製され、単一層のスリーブによって形成されるスリーブのユニットのいずれか１つの剛性よりもより高い剛性の構造体又は材料によるものである、請求項７乃至９のいずれか一項に記載のシステム。
【請求項２４】
少なくとも１つのユニットの外側部分の少なくとも一部には、導管内への前記ユニットの挿入を容易にするとともに、前記ユニットを自己固定状態で位置付けすることを容易にするためのリブが設けられている、請求項１乃至２３のいずれか一項に記載のシステム。
【請求項２５】
当該システムは、前記導管内に挿入され、且つ前記ユニットのクランプに寄与する任意のくさび形状部品を有さない、請求項１乃至２４のいずれか一項に記載のシステム。
【請求項２６】
当該システムは、前記ユニットを導管内に設置した後に、前記ユニットを高圧力下に置くための制御可能な機構を有さない、請求項１乃至２５のいずれか一項に記載のシステム。
【請求項２７】
導管をさらに含み、前記ユニットのスタックが該導管内にぴったりフィットするように組み立てられる、請求項１乃至２６のいずれか一項に記載のシステム。
【請求項２８】
前記スタックが導管内で完成し、ケーブルが複数のスリーブによって保持される場合に、前記スリーブの端部で前記ユニットのスタックに対して塗布するためのシール材をさらに含む、請求項１乃至２７のいずれか一項に記載のシステム。
【請求項２９】
前記複数のユニットの各々は、均質材料から作製される、請求項１乃至２８のいずれか一項に記載のシステム。
【請求項３０】
前記複数のユニットの各々は、単一部品エンティティである、請求項１乃至２９のいずれか一項に記載のシステム。
【請求項３１】
前記ユニットの各々は、前記スリーブの各内径と前記ユニットの外寸との間に、連続的且つ一定の材料構造を有する、請求項１乃至３０のいずれか一項に記載のシステム。
【請求項３２】
各スリーブは、剥離可能な内層を含まない、請求項１乃至３１のいずれか一項に記載のシステム。
【請求項３３】
各スリーブは、被覆付ケーブルについてシール特性を有さない、請求項１乃至３２のいずれか一項に記載のシステム。
【請求項３４】
各ユニットは、ショアＡ硬度が６８〜７６の範囲のゴム質又はゴム状材料から作製される、請求項１乃至３３のいずれか一項に記載のシステム。
【請求項３５】
ケーブル又はダクトを導管内に保持するための接合された複数のスリーブから構成されるユニットであって、前記スリーブはゴム質又はゴム状材料であり、前記スリーブは互いに平行に向き合せされ、前記スリーブは全て１つの層の前記スリーブに位置付けされ、少なくとも１つのスリーブには、そのスリーブの全長に亘って延びるスリットが設けられており、ケーブル又はダクト及びそのスリーブを同軸位置に向けて互いに横方向に移動させることにより、前記スリットを介してそのスリーブ内にケーブル又はダクトが配置される、
ユニット。
【請求項３６】
前記ユニットにおいて、複数の隣接するスリーブには、それぞれ、そのようなスリットが設けられる、請求項３５に記載のユニット。
【請求項３７】
前記スリットの少なくとも１つが、２つの隣接するスリーブによって共有される、請求項３５又は３６に記載のユニット。
【請求項３８】
前記２つの隣接するスリーブのうちの少なくとも１つが、２つのスリットを有する、請求項３７に記載のユニット。
【請求項３９】
２つのスリットを有するスリーブについて、前記２つのスリットの一方が隣接するスリーブと共有され、前記２つのスリットの他方が隣接するスリーブと共有されるスリットの反対側に位置付けされる、請求項３８に記載のユニット。
【請求項４０】
前記スリーブの層の端部に位置付けされたスリーブの１つには、その隣接するスリーブと共有される１つのスリットのみが設けられる、請求項３９に記載のユニット。
【請求項４１】
前記スリーブは、対応する外寸を有する、請求項３５乃至４０のいずれか一項に記載のユニット。
【請求項４２】
前記スリーブの少なくとも１つが、前記スリーブの少なくとも１つの内径とは異なる内径を有する、請求項３５乃至４０のいずれか一項に記載のユニット。
【請求項４３】
前記スリーブの各々が、その断面が円形である、請求項３５乃至４２のいずれか一項に記載のユニット。
【請求項４４】
前記ユニットは、その外部に、前記スリーブの長さ方向に延びるとともに、前記ユニットの前記スリーブの層方向に延びる平坦面を有する、請求項３５乃至４２のいずれか一項に記載のユニット。
【請求項４５】
前記ユニットは、ブロック形状の外形を有する、請求項４４に記載のユニット。
【請求項４６】
前記スリーブは、熱膨張性のゴム状材料から作製される、請求項３５乃至４５のいずれか一項に記載のユニット。
【請求項４７】
前記スリーブは、加硫された熱的に実質的に非膨張性のゴム質材料から作製される、請求項３５乃至４５のいずれか一項に記載のユニット。
【請求項４８】
前記ユニットは、均質材料から作製される、請求項３５乃至４７のいずれか一項に記載のユニット。
【請求項４９】
前記ユニットは、単一部品エンティティである、請求項３５乃至４８のいずれか一項に記載のユニット。
【請求項５０】
前記ユニットは、前記スリーブの各内径と前記ユニットの外径との間に、連続的且つ一定の材料構造を有する、請求項３５乃至４９のいずれか一項に記載のユニット。
【請求項５１】
各スリーブは、剥離可能な内層を含まない、請求項３５乃至５０のいずれか１項に記載のユニット。
【請求項５２】
各スリーブは、被覆付ケーブルについてシール特性を有さない、請求項３５乃至５１のいずれか一項に記載のユニット。
【請求項５３】
前記ユニットは、ショアＡ硬度が６８〜７６の範囲のゴム質又はゴム状材料から作製される、請求項３５乃至５２のいずれか一項に記載のユニット。
【請求項５４】
ケーブル又はダクトを導管内に保持するためのスリーブであって、該スリーブはゴム質又はゴム状材料であり、前記スリーブは、互いに平行に向き合せされた複数の内腔を有する、
スリーブ。
【請求項５５】
前記スリーブは、少なくとも１つの内腔に対して、その内腔の全長に亘って延びるスリットを有しており、ケーブル又はダクト及びその内腔を同軸位置に向けて互いに横方向に移動させることによって、前記スリットを介して前記内腔内にケーブル又はダクトが配置される、請求項５４に記載のスリーブ。
【請求項５６】
そのスリーブ内の各内腔について、スリットが設けられ、ケーブル又はダクト及びその内腔を同軸位置に向けて互いに横方向に移動させることによって、前記スリットを介してその内腔内にケーブル又はダクトが配置される、請求項５５に記載のスリーブ。
【請求項５７】
各内腔は、それ自体のスリットを有しており、ケーブル又はダクト及びその内腔を同軸位置に向けて互いに横方向に移動させることによって、前記スリットを介して前記内腔内にケーブル又はダクトが配置される、請求項５６に記載のスリーブ。
【請求項５８】
前記スリットの少なくとも１つは、隣接する２つの内腔によって共有される、請求項５５又は５６に記載のスリーブ。
【請求項５９】
前記隣接する２つの内腔の少なくとも１つが、２つのスリットを有する、請求項５８に記載のスリーブ。
【請求項６０】
２つのスリットを有する前記スリーブについて、前記２つのスリットの一方が隣接する内腔と共有され、前記２つのスリットの他方が隣接する内腔と共有されるスリットの反対側に位置付けされる、請求項５９に記載のスリーブ。
【請求項６１】
前記内腔は、対応する内寸を有する、請求項５４乃至６０のいずれか一項に記載のスリーブ。
【請求項６２】
前記内腔の少なくとも１つが、他の内腔の少なくとも１つの内径とは異なる内径を有する、請求項５４乃至６１のいずれか一項に記載のスリーブ。
【請求項６３】
前記スリーブは、星形状の、円形の、又はブロック形状の断面を有する、請求項５４乃至６２のいずれか一項に記載のスリーブ。
【請求項６４】
前記スリーブは、熱膨張性のゴム状材料から作製される、請求項５４乃至６３のいずれか１項に記載のスリーブ。
【請求項６５】
前記スリーブは、加硫された熱的に実質的に非膨張性のゴム質材料から作製される、請求項５４乃至６３のいずれか一項に記載のスリーブ。
【請求項６６】
前記スリーブは、均質材料から作製される、請求項５４乃至６５のいずれか一項に記載のスリーブ。
【請求項６７】
前記スリーブは、単一部品エンティティである、請求項５４乃至６６のいずれか一項に記載のスリーブ。
【請求項６８】
前記スリーブは、その内径と外径との間に連続的且つ一定の材料構造を有する、請求項５４乃至６７のいずれか一項に記載のスリーブ。
【請求項６９】
前記スリーブは、剥離可能な内層を含まない、請求項５４乃至６８のいずれか一項に記載のスリーブ。
【請求項７０】
前記スリーブは、被覆付ケーブルについてシール特性を有さない、請求項５４乃至６９のいずれか一項に記載のスリーブ。
【請求項７１】
前記スリーブは、ショアＡ硬度が６８〜７６の範囲のゴム質又はゴム状材料から作製される、請求項５４乃至７０のいずれか一項に記載のスリーブ。
【請求項７２】
請求項５４乃至７１のいずれか一項に記載の接合された複数のスリーブから構成されるユニット。
【発明の詳細な説明】
【技術分野】
【０００１】
本発明は、異なる直径のケーブル又はダクトを導管内に保持するためのシステムに関する。このようなシステムは、導管内で、この導管を通って延びるケーブルを取り囲む残りの空間をシールするために必要である。このような導管は、例えば１つの区画を別の区画から分離する又は区画を外部大気状態から分離する、全てのタイプの仕切り壁に見出すことができる。導管は、例えば水又はガスがある区画から別の区画へ、或いは区画内に又は区画から流れないように密封する必要がある。理想的には、シール材は、熱に対して、特に近くの火によって発生する熱に対しても耐性を有する。シールシステムは、大抵の場合、既述の「致命的な」条件下での性能に関して評価される。
【０００２】
この明細書全体を通して、殆どの場合、ケーブルについて参照を行う。しかしながら、ケーブルがチューブ、特にシースが設けられたチューブに置き換える場合に、与えられる情報は、大抵の場合、等しく適用される。特に薄いこれらのチューブ及び他のチューブ、及び幾分可撓性を有するパイプが、ダクトの用語によって網羅される。
【０００３】
こうして、特に断らない限り、ケーブル及びダクトは、本発明の説明及び適用のために交換可能であると見なされる。
【０００４】
一方では、シーリングの完全性は、特に（シールシステムの設置後、数年経って）必要性が生じた場合に、最適にすべきであるが、（人件費を節減するために）システム自体の設置もまた比較的速くし；設置が失敗する可能性を低くし；設置後に、導管内に配置されたシステムの完全性を危険に曝すことなく、ケーブルの追加又は取外しに適した状態の導管を残さなければならない。誤ってケーブルを取り外すと、これらのケーブルの存在に依存する機械の動作に悪影響を与える可能性がある。
【背景技術】
【０００５】
多くのシステムが市場でよく知られている。１つのシステムは、大抵の場合、「ブロックシステム」と呼ばれる。そのブロックシステムは、Emma Maerskに設置さており、例えば、２０１３年２月にスエズ運河で転覆した公式の事故報告によると、このブロックシステムの一部不具合によって転覆した。このシステムは、導管内に配置するためのモジュール式ブロックを有する。複数のブロックには、ケーブルを保持するための孔が設けられている。ブロックは、２つの半体ブロックから構築され、各半体ブロックが孔の半分を形成する凹部を有する。ボルト付き楔形ブロック、導管内の余剰スペースを占有する孔のないモジュール式ブロック、及びタイプレート(stay plates)も存在し得る。導管は、溶接されたフレームを含み得る。異なる直径の多数のケーブルが延びる導管は、モジュール式ブロック（ケーブル用の孔を有するブロック及びそのような孔のないブロック）で充填される。楔形ブロックは、通常、モジュール式ブロックの構造をきつく堅くすることを目的として、これらのモジュール式ブロックの間に置かれる。タイプレートにはこれらのブロックの層が取り付けられており、これらのブロックを溶接フレームの正しい位置に保持することを目的としている。事故報告書で説明されるように、このシステムは、少なくとも個々の部品レベルで不具合があった。
【０００６】
本明細書で提示する発明は、これらの問題を解決するには根本的に異なるシステムが必要であるという見解に基づいている。重要なことに、このような異なるシステムは、溶接フレームに、すなわち導管内に位置付けした後に、ブロックを圧縮する必要がない。これは、部品を圧縮すると、長期的には、クリープ及び応力緩和等の時間関連現象により、これらの部品が劣化するためである。劣化は、部品レベルだけでなく、ケーブルの外被のレベルにも生じる。これらは、ケーブルを取り囲むブロックが加えた圧縮力によって、不可逆的に変形する可能性がある。その結果、既存のシールシステムを、孔を有するブロックを含む同様のシールシステムで置き換えることは、ケーブルの直径が変化した場合にうまく機能する可能性が非常に低くなる。
【０００７】
これに伴い、ＩＥＣ６００７９−１４（最新版）、特に「ケーブル及び導管の電気機器への接続は、関連する種類の保護の要件に従って行うべきである」と記載する９．１．４項について参照を行う。それには、「低温流れ特性」を発揮することができる材料を用いる特定タイプのケーブルと組み合わせて適切なケーブル入込み装置を選択する際には注意が必要であることが示されている。この規格は、例えば、低温流れ特性を有するケーブルの部分（複数可）に作用する圧縮シールを用いないケーブル入込み装置を使用すべきことについて記載している。この最新規格は、「低煙及び／又は耐火ケーブルは、通常、低温流動特性を示す」と記載しており、「低温流れは、周囲温度により圧力を受けたときに流動性を示す熱可塑性材料としてより完全に説明することができる」と記載している。
【０００８】
明らかに、ブロックシステムは、使用する場合に、設置時に圧縮箇所を慎重に決めてバランスを取る必要があり、システムを設置不具合時に開ける必要がある。圧縮を制御する方法はなく、過剰な圧縮が加えられる可能性がある。完全に設置されても、可能性があれば、劣化が、上述したように直ちに開始し、長期的には信頼性に欠けるシールシステムにつながる。
【０００９】
ブロックシステムのこれらの根本的な問題とは別に、導管の取り付け方法の計画とその計画の実行に関する実際的な問題も存在する。ケーブル及びブロックの構成は、予め設計しなければならず、ケーブルの数及び様々なケーブルの直径に依存する。ブロックシステムは、ケーブルが導管を通して引き回されたときにのみ適用できる。実際には、意外にも大きなケーブルが導管を通して引き回されることが多い。その後、別の大きなブロックを適用する必要があり、最初に目指していたような、計画どおりの構成だけでなく、圧縮パターンを阻害する。
【００１０】
特許文献１には、耐火材料のスリーブ及びシール材を含む代替システムが記載されている。このシステムは、シングル・スリーブを含み、各スリーブが、導管を通って既に延びているケーブルの周りにスリーブを配置することを可能にする長手方向のスリットを有する。導管内の残りの空間を迅速に充填するために、システムは、接合されたスリーブから構成されるユニットも含むことができる。特許文献１で説明されているように、これらの接合されたユニットを構成するスリーブは、スリーブの長さに亘って延びるスリットを有さない。このシステムの問題点は、特に異なるサイズのケーブル及び異なるサイズのスリーブが適用される場合に、実際には、導管内のスリーブの位置付けが不揃いになる傾向があることである。多数のケーブルが導管を通って延びると、結局、結果は、ケーブルが整理されていない状態でシールされた導管を通過するように見える傾向がある。各ケーブルの導管内の位置を記録することは容易にできない。これにより、特に、殆どのケーブルが同じように見える状況では、既存のケーブルを新しいケーブルに交換することが困難になる。
【先行技術文献】
【特許文献】
【００１１】
【特許文献１】国際公開第０３／０１３６５８号
【発明の概要】
【発明が解決しようとする課題】
【００１２】
本発明の目的は、比較的容易に記録可能な態様で異なる直径のケーブルを導管内に保持することを可能にするシステムを提供することである。
【００１３】
本発明の別の目的は、好ましくは、比較的迅速に設置することができるシステムを提供することであり、ケーブルの位置付けは、システムを導管内に配置する前に、ケーブルが導管を通って既に延びている状況においてもケーブルの位置を容易に記録可能である。
【００１４】
本発明の別の目的は、好ましくは、ケーブルに圧縮を実質的に加えず、せいぜい最小の圧縮のみを加えるシステムを提供することである。
【００１５】
本発明の別の目的は、意外にも、より大きい直径のケーブルが導管を通って延びる場合に、好ましくは、その場で容易に適合させることができる設置システムを提供することである。
【００１６】
本発明の別の目的は、従来技術から知られているシステムに代わるシステムを提供することである。
【課題を解決するための手段】
【００１７】
本発明の目的の少なくとも１つを満たすために、本発明は、異なる直径のケーブル及び／又はダクトを導管内に保持するためのシステムを提供する。このシステムは、そのような導管内に挿入するための複数のゴム質又はゴム状スリーブを有する。複数のスリーブは、互いに平行に向き合せされ、接合されたスリーブから構成される複数のユニットを有する。スリーブは、各ユニット内で対応する外径を有する。少なくとも１つのユニットは、多数のユニットのうちの少なくとも１つの他のユニットのスリーブの内径とは異なる内径のスリーブを有する。ユニットの数及びユニットの寸法は、ユニットのスタック(stack)を形成することができるようなものである。このユニットのスタックでは、各スリーブは、他のスリーブのいずれかと平行に向き合せされる。ユニットのスタックは、矩形形状であり、各側部が多数のスリーブの存在に細かく形作られ、各エッジ部は１つ、２つ又は３つのスリーブの存在によって細かく形作られる。
【００１８】
有利には、各スリーブの位置は、例えば、ユニットのスタックの矩形形状のある側部に一致する１つの軸線と、矩形形状の別の側部に一致する別の軸線とを有する直交座標系に関する座標で正確に記録することができる。さらに、システムは、導管内に、シングル・スリーブを配置し再びシングル・スリーブを配置する代わりに、ユニット毎に、スリーブから構成されるユニットを配置し、次に再びいくつかのシングル・スリーブを配置することによって設置することができる。システムに追加の圧縮は加えられない。ケーブルは望ましくない力を受けない。意外にも、ケーブルが予想したよりも大きな直径を有する場合に、スリーブの構造全体を危険に曝すことなく、依然としてこのケーブルを収容することができる。提示されるようなスリーブは、より大きなケーブルに対処できる。スリーブの内径は、ケーブルの周りにぴったりとフィットするように選択されていない。ケーブルはスリーブを通して引っ張られるので、各内径を大きくする必要がある。さらに、スリーブをスリットによって開き、ケーブルの周りにスリーブを適用することも常に可能である。
【００１９】
一実施形態では、各スリーブは、ケーブル用のシール特性を有していない。シール特性は、この状況において、（スリーブの内径と比較して）僅かに大きな外径のケーブルをぴったりとフィットさせるようにスリーブ内に収容することを可能にする特徴を含む。スリーブを通るケーブルの摺動を容易にする限り、シール特性がないことは、理想的である。スリーブの比較的低い摩擦の内面は、摺動を補助するだけでなく、大きな寸法のスリーブの摺動も補助する。さらに、後に説明するように、占有したスリーブ内の空気は、熱障壁を形成し、スタック、保持ケーブルが位置付けされる導管をシールするために、ユニットのスタックに対してシール材が塗布される場合に、「固定用」シール材の空間を提供する。より具体的には、各スリーブには、ケーブルの外面と接触する環状シールリングを提供する内側リブがない。
【００２０】
一実施形態では、各ユニットは、ショアＡ硬度が６８〜７６の範囲のゴム質又はゴム状材料から作製される。このような硬度は、ユニットが比較的堅く、ユニットが多数の重いケーブルを保持している場合であっても、また各ユニットが重いケーブルを保持しているこのようなユニットのスタックの底部にユニットがある場合も、その形状が維持されることを保証する。スリーブの直径は周囲環境によって決して著しく変化することはなく、これは、スリーブを通って保持されるケーブルとユニットの材料との間の接触が比較的少ないことを保証するためにも重要である。ケーブルが導管内に熱を輸送している場合に、ケーブルとユニットとの接触が殆どないため、そのような熱は、ユニットの材料と迅速に共有される可能性が低い。ケーブルを取り囲む空気が熱障壁として作用する。ケーブルによって導管に導かれる熱は、最初に熱が導かれたケーブルを介して導管から均等に直接的に伝導される可能性が非常に高い。さらに、スリーブの形状を維持することにより、シール材が塗布される場合に、シール材が、ケーブルによって占有されていない、スリーブ内の空間に流入することが確実になる。シール材のこのような流入は、形態フィット(form-fitting)によるシール材の改善された固定だけでなく接着剤固定の形態も可能になる。ユニットの剛性により、接着面が過度に撓むことが防止され、それによって接着面が緩み難くなる。
【００２１】
一実施形態では、ユニットの各々は、スリーブの各内径とユニットの外寸との間に、連続的且つ一定の材料構造を有する。これは、その機械的性能に関して予測可能なユニットを有することにも寄与する。隠れた（潜んだ）弱点は存在していない。
【００２２】
一実施形態では、各スリーブは、剥離可能な内層を有さない。その結果、スリーブの内径が予め固定される。これにより、導管を通って延びるケーブルを適切に整理することが可能になる。比較的小さい内径のスリーブを有するユニットは、例えば、剥離可能な層を引き剥がすことによって内径が拡大されたスリーブを通してより重く厚いケーブルを後で引っ張るという懸念なしに、ユニットのスタックの高い位置に配置することができる。これにより、長期間の安定性、及びケーブルの変化に対する堅牢性が保証される。
【００２３】
一実施形態では、複数の内部ユニットの各々は、単一部品エンティティである。これはユニットのスタックの効率的且つ直接的な管理を可能にするだけでなく、ユニットの寸法が十分に規定され、複数の部品が互いにどのように配置されるかに依存しないことを保証する。また、スリーブをケーブルの周りにぴったりとフィットさせるのではなく、一旦ケーブルの周りにスペースを確保してスリーブに通すという目的にも貢献する。ケーブルの周りにぴったりとフィットするように、部品を互いに圧迫することはない。
【００２４】
一実施形態では、多数のユニットの各々は、均質材料から作製される。これは、例えば射出成形によって、好ましくは１回のショットによって、容易な製造も可能にする。好ましくは、材料はシリコン系ゴムであり、このゴムは材料特性の長期安定性を提供する。
【００２５】
好ましくは、各ユニットにおいて、スリーブの長さは互いに対応する。これにより、ユニットのスタックの安定性が高まり、スリーブが近くの火に反応するように設計される場合に、そのような反応は、スタックが設置された導管内で最適に行われる。矩形のスタックは、ブロック形状のスタックになる。矩形のスタックが正方形のスタックとなる場合に、このスタックは、スリーブの長さに応じて立方体の形状にすることもできる。
【００２６】
好ましくは、各ユニットにおいて、スリーブは全て１つの層のスリーブに位置付けされる。有利には、これは、ユニットのスタックを構築する際に及び導管内で利用可能なスリーブの直径に柔軟性を提供する。このようにして、導管を通って延びるケーブル束の殆どの「構成」毎に、その導管内に、各ケーブルを数及び直径とは無関係に保持するための適切なユニットのスタックを設けることが可能になる。
【００２７】
しかしながら、代替実施形態では、少なくとも１つのユニットが、複数層のスリーブを有する。
【００２８】
好ましくは、各ユニットは、１つ又は複数の層の高さを除いて、他のユニットのいずれかの寸法に対応する寸法を有する。これにより、ユニットのスタックを容易に構成することができ、事前に計画することもできるので、システムの設置を容易に行うことができる。スリーブの位置、従って導管内の特定のケーブルを記録する代わりに、又はこれに加えて、ケーブルを依然として引き回さなければならない場合には、ケーブルを導管内に位置付けすべきパターンを予め設計及び制御することも可能である。例えば、重いケーブルは、より軽いケーブルが導管内に位置付けされる位置と比較して、導管内のより低い位置に位置付けすることができる。
【００２９】
一実施形態では、各スリーブの内径がそのユニットの他のスリーブの内径と同じであることが、少なくとも１つのユニットに、好ましくは各ユニットに適用される。
これにより、前述した記録性、スタックの安定性が向上し、多くのケーブルが通る整理された導管を形成する利点がある。
【００３０】
一実施形態では、システムは、少なくとも１つのユニットが位置付けされる少なくとも１つの表面を提供するために、ユニットのスタック内の２つのユニットの間に配置される少なくとも１つのプレートをさらに有する。このようなプレートの存在により、別のユニットが置かれるべき、ユニットの側部に生じ得る「うねり」が、上部ユニットが支持され且つ位置付けされる方法にもはや影響を及ぼさない。本発明によるシステムのそのような実施形態によって、導管内のスリーブ及びそれぞれのケーブルの位置付けを非常にうまく整理し、非常に正確に行うことを可能にする。
【００３１】
本発明によるこのようなシステムのより詳細な実施形態では、少なくとも１つのプレートが２つの対向するリムの各々にあり、リムには、プレートがクランプ状態で位置付けされる、導管内へのプレートの挿入を容易にするための多数のリブが設けられる。有利には、プレートは、スリーブから構成されるユニットのパターンをさらに与えることができ、及び／又はパターンをさらに安定させることができる。
【００３２】
本発明によるシステムの実施形態では、少なくとも１つのユニットの少なくとも１つのスリーブには、スリーブの全長に亘って延びるスリットが設けられており、ケーブル及びそのスリーブを同軸位置に向けて互いに横方向に移動させることにより、スリットを介してスリーブ内にケーブルが配置される。スリットが設けられたこのようなスリーブは、ケーブルが既に延びている導管内に容易に適用することができる。これは、例えば、シールの完全性が低下しているために、又は多数の追加のケーブルを導管を通して引き出されなければならないために、以前のシールシステムを取り外さなければならない場合に、特に有用である。本発明によるシステム自体が導管内で既に使用されている場合には、導管を通して新しいケーブルを引っ張ることは、以前に設置されたスリーブを取り外すことなく行うことができることに留意されたい。存在する必要性は、ケーブルが未だ延びていないスリーブの利用可能性だけである。
【００３３】
少なくとも１つのユニットにおいて、このようなスリットを多数の隣接するスリーブに設けることが可能である。これは、多数のケーブルが延びるか、又は導管を通して互いに近接して延びるようなユニットの適用を容易にする。次に、有利には、各ケーブルがユニットを構成する１つのスリーブを占有することができるので、ケーブルは、互いに近接したままであるが、依然として容易に記録可能なパターンで位置付けされる。
【００３４】
より好ましくは、スリットの少なくとも１つが２つの隣接するスリーブによって共有され、そのスリーブのうちの１つが２つのスリットを有する。例えば、２つのスリットを有するスリーブについて、２つのスリットの一方が、隣接するスリーブと共有され、２つのスリットの他方が、隣接するスリーブと共有されるそのスリットとは反対側に位置付けすることが可能である。これにより、１つのスリットを使用して、ケーブルを最初に１つのスリーブに入れて次のスリーブに移動させることができる。これは、例えば連結(tie-wrapped)されたときに、２本のケーブルが互いに平行に近接して延びる場合に特に有用である。これらの隣接するスリーブの一方に１つのケーブルを配置し、隣接するスリーブの他方にケーブルにもう１つのケーブルを配置することができる。
【００３５】
本発明によるシステムの一実施形態では、スリーブは、円形の断面を有することができる。これにより、ユニットの導管内での自己クランプが幾らか可能になる。
【００３６】
代替形態として、少なくとも１つのユニットは、その外部に、スリーブの長さ方向に延びるとともに、ユニット内のスリーブの層方向に延びる平坦面を有することが可能である。こうして、ユニットにおいて、各スリーブをブロック形状とみなすことが可能である。従って、少なくとも１つのユニットは、ブロック形状の外形を有することができる。これは、ユニットの積み重ね、及び導管内でのスリーブのより正確な位置付けを容易にし、それによって導管内のケーブルのパターン形成の記録可能性及び／又は計画性をより正確にすることができる。
【００３７】
本発明によるシステムの一実施形態は、少なくとも１つのシングル・スリーブを含むこともでき、少なくとも１つのシングル・スリーブをシステムの別のスリーブに挿入するのに適した外側断面寸法を有する。従って、導管内で組み立てられた際に、例えば上側ユニットには重いケーブルが設けられ、下側ユニットが一時的に空になっている、すなわちケーブルがない場合に必要となる、システムの安定性を高めることができる。スリーブが熱膨張性のゴム状材料から作製される場合に、ユニットを構成するスリーブ内にそのようなシングル・スリーブを挿入することにより、ユニットのスタックに組み立てられたときに十分に膨張可能な材料がシステム内に存在することが保証される。
【００３８】
本発明によるシステムの実施形態では、スリーブは、熱膨張性のゴム状材料から作製される。ゴム状(rubber-like)の用語は、ゴム状材料が加硫可能であり、おそらくは既に部分的に加硫されていることを表すために使用される。「熱膨張性」という用語は、材料が、熱に曝される１つ又は複数の構成要素を含み、材料がこれらの構成要素の存在なしで行われるよりも広範囲に膨張することを表すために使用される。
【００３９】
本発明によるシステムの別の実施形態では、スリーブは、加硫された熱的に実質的に非膨張性のゴム質(rubbery)材料から作製される。用語「熱的に実質的に非膨張性の」は、熱に曝されると、材料がこれらの構成要素の存在なしで行われるよりも広範囲に膨張させる構成要素を含まないことを表すために使用される。
【００４０】
システムが少なくとも１つのプレートを含む場合に、その少なくとも１つのプレートは、熱膨張性のゴム状材料、又は加硫された実質的に非膨張性のゴム質材料から作製してもよく、単一層のスリーブによって形成される際に、スリーブのユニットのいずれか１つの剛性よりも堅い構造によって又は材料特性によって形成される。従って、異種材料なしで、従って導管に使用される材料とスリーブ及び／又はプレートに使用される材料との間の望ましくない相互作用の可能性のないシステムを提供することが可能である。このような望ましくない相互作用は、導管及びプレートが異なる金属から作製される場合に、例えば腐食する可能性がある。
【００４１】
本発明によるシステムの実施形態では、システムは、導管内にぴったりフィットするようにユニットのスタックが組み立てられる導管をさらに含むことができる。これにより、導管の寸法及びユニットのスタックの寸法が、設置中及び設置後にシステムの最適な機能を有するように設定されることが保証される。
【００４２】
本発明によるシステムの実施形態では、システムは、スタックが導管内で完成し、ケーブルが多数のスリーブによって保持されるときに、スリーブの端部でユニットのスタックに対して塗布するためのシール材をさらに含む。
【００４３】
本発明は、ケーブル又はダクトを導管内に保持するための多数の接合されたスリーブから構成されるユニットをさらに提供する。スリーブは、ゴム質又はゴム状材料から構成される。スリーブは互いに平行に向き合せされ、スリーブは全て１つの層のスリーブに位置付けされる。少なくとも１つのスリーブには、このスリーブの全長に亘って延びるスリットが設けられ、ケーブル又はダクト及びそのスリーブを同軸位置に向けて互いに横方向に移動させることによって、スリットを介してそのスリーブ内にケーブル又はダクトが配置される。
【００４４】
本発明は、ケーブル又はダクトを導管内に保持するためのスリーブをさらに提供する。スリーブはゴム質又はゴム状材料から構成され、スリーブは、互いに平行に向き合せされた複数の内腔を有する。
【００４５】
本発明は、このような多数のスリーブから構成されるユニットをさらに提供する。
【００４６】
本発明及びその実施形態について、図面を参照してさらに詳細に説明する。
【図面の簡単な説明】
【００４７】
【図１】本発明によるシステムの一実施形態を概略的に示す図である。
【図２ａ】本発明によるシステムの実施形態の一部を概略的に示す図である。
【図２ｂ】本発明によるシステムの実施形態の一部を概略的に示す図である。
【図３】本発明によるシステムの一実施形態を概略的に示す図である。
【図４】本発明によるシステムの一実施形態を概略的に示す図である。
【図５ａ】本発明によるシステムの実施形態の一部を概略的に示す図である。
【図５ｂ】本発明によるシステムの実施形態の一部を概略的に示す図である。
【図６ａ】本発明によるシステムの実施形態の一部を概略的に示す図である。
【図６ｂ】本発明によるシステムの実施形態の一部を概略的に示す図である。
【図７】本発明によるシステムの実施形態の一部を概略的に示す図である。
【図８ａ】本発明によるシステムの実施形態の一部を概略的に示す図である。
【図８ｂ】図８ａに示された部分を開いた位置で概略的に示す図である。
【図９】本発明によるシステムの一実施形態を概略的に示す図である。
【図１０】本発明によるシステムの一実施形態を概略的に示す図である。
【図１１】本発明によるシステムの一実施形態を概略的に示す図である。
【図１２】本発明によるシステムの一実施形態を概略的に示す図である。
【図１３】本発明によるシステムの一実施形態を概略的に示す図である。
【図１４】本発明によるシステムの一実施形態を概略的に示す図である。
【図１５】本発明によるシステムの実施形態の一部を概略的に示す図である。
【図１６】本発明によるシステムの実施形態の一部を概略的に示す図である。
【図１７】本発明によるシステムの一実施形態を概略的に示す図である。
【図１８】本発明によるシステムの実施形態の一部を概略的に示す図である。
【図１９】本発明によるシステムの実施形態の一部を概略的に示す図である。
【図２０】本発明によるシステムの実施形態の一部を概略的に示す図である。
【図２１】本発明によるシステムの一実施形態を概略的に示す図である。
【図２２】本発明によるシステムの一実施形態を概略的に示す図である。
【発明を実施するための形態】
【００４８】
図面及び以下の詳細な説明において、同様の部品には同様の参照符号が付されている。ここで議論される実施形態は、本発明の実施例のみに関係し、他に明確に指示されない限り、本発明を限定するものとして理解すべきではない。
【００４９】
図１は、異なる直径のケーブルを導管内に保持するためのシステムを概略的に示す。このシステムは、そのような導管内に挿入するための複数のゴム質又はゴム状スリーブ１を有する。複数のスリーブ１は、互いに平行に向き合せされ、接合されたスリーブ１から構成される多数のユニット２を含む。図１及び他の多くの図では、スリーブ１の断面のみが示されている。
【００５０】
各ユニット２内で、スリーブ１は対応する外寸を有する。図１に示されるシステムは、６つのユニット２を含む。各ユニット２内で、スリーブ１は、６つのユニット２のうちの少なくとも１つの他のユニット２のスリーブの内径とは異なる内径を有する。確認されるように、１つのユニット２を構成するスリーブの内径は同一であることが好ましい。しかしながら、１つのユニット内で、スリーブが異なる内径を有することは不可能ではない。本発明の一実施形態では、スリーブから構成される１つのユニット内で、スリーブは異なる内径を有する。後述するように、いくつかの実施形態では、少なくとも１つのスリーブに複数の内腔を設けてもよい。内腔はチャネルとも呼ばれる。そのようなスリーブ及びそのようなスリーブから構成されるユニットも、それぞれ、本発明の態様であるとみなされる。ユニット２の数及びユニット２の寸法は、ユニット２のスタックを形成することができるようなものである。この可能性は、図１から容易に導き出すことができる。ユニット２のスタックにおいて、各スリーブ１は、他のスリーブ１のいずれかと平行に向き合せされる。ユニット２のスタックは、各側部が多数のスリーブ１の存在によって細かく（in detail）形作られ、各エッジ部が１つ、２つ又は３つのスリーブの存在によって細かく形作られる矩形形状を有する。これについては、図３について議論するときにさらに説明する。
【００５１】
図１は、６つの異なるユニット２のみで、異なる直径の多数のスリーブを設けることができ、且つユニットから構成される矩形スタックを形成することができるという点で、非常に実際的な実施形態を提示している。スリーブの可能な数及びこれらスリーブの可能な内外寸法（ミリメートル）が、それぞれのユニット２の隣に示される。
【００５２】
好ましくは、各ユニット２において、スリーブ１の長さは互いに対応する。好ましい実施形態では、図１にも示されているように、各ユニット２において、スリーブ１は全て１つの層のスリーブ１に位置付けされる。図３及び図５及び図６を検討すると（図５及び図６の２つは、システムを通って延びるケーブルの方向に対して垂直な方向から見て、使用中の本発明によるシステムの実施形態に対する視点である）、好ましくは、各ユニットは、１つの層の高さを除いて、他のユニットのうちの１つの寸法に対応する寸法を有する。
【００５３】
本発明によるシステムの実施形態は、少なくとも１つのユニット２が位置付けされる少なくとも１つの表面４を提供するために、ユニット２のスタックにおいて２つのユニット２の間に配置される少なくとも１つのプレート３を含む。プレート３は、好ましくは、２つの方向に、ユニット２のスタックの少なくとも１つの寸法に対応する寸法を有する。図１に示されるスリーブ１の長さが１１０ｍｍであると仮定すると、図２ａ及び図２ｂに示されるプレート３は、この選択（長さ）に対応していることが分かる。
【００５４】
さらに、図２に示されるように、プレート３は、対向して位置付けされた２つのリム５の各々に、プレート３を導管７（図３参照）内に挿入してクランプするのを容易にするための多数のリブ６を有することが好ましい。このようなリブ６は、例えば、鋸歯の形状を有してもよい。図２ａ及び図２ｂに示されるプレート３は、プレート３の平面内の方向に挿入するのに適している。リブは、鋸歯形状とは異なる形状を有することが考えられる。図２ｂには、例えば硬質プラスチック製の剛性プレート３ａが設けられたプレート３が示されている。このプレートは、多数のスリーブを水平面内で互いに隣接させることを意図したシステムの実施形態に適している。
【００５５】
図３は、使用準備が整った状態の、本発明によるシステムの一実施形態を概略的に示す。導管(conduit)７において、異なるユニット２が積み重ねられ、主に矩形形状の導管７となるように充填される。ユニット２から構成される矩形形状のスタックの底部コーナー９は、これらの底部エッジ９のそれぞれにおいて、１つのスリーブ１の存在によって細かく形作られる。しかしながら、ユニット２から構成される矩形形状のスタックの２つの上部エッジ１０は、各々が異なるユニット２に属する２つのスリーブ１の存在によってそれぞれ細かく形作られる。また、ユニット２から構成される主に矩形形状のスタックのエッジは、３つのスリーブの存在によって細かく形作られることも考えられる。
【００５６】
図３に示される実施形態は、使用準備が整っている。すなわち、それぞれのスリーブ１を通してケーブルを引っ張ることができる。スリーブに示された数字は、それぞれのスリーブ１を通して引っ張られるケーブルの直径の範囲を示す。数字０がスリーブ内に配置される場合に、これは、所定の計画に従って、そのスリーブを通してケーブルを引っ張るべきではないことを指示していると解釈される。このような空のケーブルは、後で、すなわちシステムの設置後の直ぐに、ケーブルを導管７に追加するために利用可能なままである。
【００５７】
図から分かるように、図３に示される実施形態は、外側断面又は寸法を有するシングル・スリーブ８も含み、これらシングル・スリーブ８の少なくとも１つがシステムの別のスリーブ１内に挿入される。スリーブ１，８が熱膨張性のゴム状材料から作製される場合に、そのようなシングル・スリーブをユニット２のスリーブ内に挿入することにより、十分に膨張可能な材料がシステム内に存在することが保証され、それによってより大きなスリーブによって提供されるキャビティ全体が、火の近くにある場合に、膨張可能な材料によって閉鎖される。スリーブが加硫された熱的に実質的に非膨張性のゴム質材料から作製される場合に、より大きなスリーブ１内に挿入されるシングル・スリーブ８は、更なる安定性、剛性、及び強度をシステムに提供するので、システムの剛性、それによるスリーブ及びケーブルの位置の正確な記録可能性が維持される。図から分かるように、多数のシングル・スリーブ８をより大きなスリーブ１内に挿入することもでき、互いに取り囲まれる（右下に示される）か、又は互いに隣接する（導管のより中央部に向いて示される）。これらの実施形態の各々について、導管７を通って延びるケーブルを保持するためにシングル・スリーブを使用することも可能である。
【００５８】
さらに、又はこれまで説明したシングル・スリーブの代替形態として、システムが図６ａ及び図６ｂに示されるような断面を有するシングル・スリーブを含むことも可能である。図６ｂに示されるようなより厚い壁のスリーブを、この厚い壁のスリーブの外側断面寸法よりも大きな内径を有するスリーブ内に挿入することができる。しかしながら、このような厚い壁のスリーブは、それまでユニットの一部であったそのユニットからそのスリーブを引き裂くことによってスリーブを取り替えることも想定される。同一の使用可能性が、図６ｂに示されるようなマルチ内腔スリーブにも当てはまる。
【００５９】
明らかに、図３に示される実施形態によって、ケーブルは、スリーブ１の構成パターンに従って所定の位置に引っ張られる。しかしながら、ケーブルが既に延びる導管内でシステムを使用することも可能である。この目的のために、各スリーブは、例えば鋭利なナイフを用いて長さ方向にスリットを開け、それによって各スリーブをそれぞれのケーブルの周りに配置することができる。導管を通って既に延びているケーブル束にシステムを押し付けることにより、システムが設置される前よりも容易に記録可能であり系統的な方法で表現されるパターンの位置にケーブルを強制的に押し込むことが可能になる。説明するように、スリーブに予め切断されたスリットを設けてもよい。
【００６０】
本発明によるシステムの実施形態では、少なくとも１つのユニット２の少なくとも１つのスリーブ１には、スリーブ１の全長に亘って延びるスリット１３（図７参照）が設けられており、ケーブル及びそのスリーブ１を同軸位置に向けて互いに横方向に移動させることによって、スリット１３を介してスリーブ１内にケーブルを配置する。１つのユニット内の多数の隣接するスリーブ１に対して、このようなスリット１３を設けてもよい。例えば図８ａ及び図８ｂに示されるような更なる実施形態によれば、１つのスリット１３が２つの隣接するスリーブ１によって共有され、そのスリーブのうちの１つが２つのスリットを有することも可能である。２つのスリット１３，１４を有するそのスリーブ１について、２つのスリット１３，１４の一方が、隣接するスリーブ１と共有され、２つのスリットの他方が、隣接するスリーブ１と共有されるそのスリットの反対側に位置付けされる。１つのユニット２において、スリーブ１のうちの１つを除く全てには、２つのスリット１３，１４が設けられており、２つのスリット１３，１４を有さない１つのスリーブ１ａのみが、隣接するスリーブ１と共有されるスリット１３を有することが可能である。１つのスリット１３のみを有する１つのスリーブ１ａは、スリーブ１から構成されるユニット２の端部に位置することができる。このような実施形態では、１つのユニット２のうちの全てのスリーブ１，１ａについて、上半体を一緒に持ち上げることができ、それによってそれらスリーブ１，１ａの上半体と下半体との間の距離が増大される。１つのスリット１３のみを有するスリーブ１ａは、ヒンジとして機能する。次に、ケーブルの束をそのユニット２を構成するスリーブ１，１ａの上に広げることができ、その後、それぞれのスリーブ１，１ａの上半体を下半体に戻して、各ケーブルをスリーブ１，１ａによって取り囲むことができる。図８ａ及び図８ｂに示されるユニットも、本発明のシステムの文脈外で使用することができる。図８ａ及び図８ｂに示され且つ上述されたユニットは、本発明の一態様であるとみなされる。
【００６１】
図１及び図３に示されるように、スリーブは円形の断面を有することができる。このような実施形態では、プレート３を有することが好ましい。プレート３は、スリーブ１から構成されるユニット２が位置付けされる表面を提供する機能を有しており、それによってスリーブ１の層は、幾らか歪んだ形状になることなく、それぞれのスリーブの正確な位置付けに悪影響を与えない。プレート３の上面４は、その上に載るユニットを支持するのに適した表面を提供する。プレート３の下面は、必ずしもスリーブ１から構成されるユニット２と接触していない。
【００６２】
図４は、ケーブルを引っ張ることができるという意味で使用準備が整った状態の、本発明によるシステムの別の実施形態を示す。この場合に、導管の幅は高さよりも大きい。ケーブルが導管の外側でケーブルトレイに保持される場合に、ケーブルトレイよりもはるかに高いか又は低い位置にあるスリーブ１にケーブルを送り込む必要がないので、ケーブルにかなりのたるみを許容する必要性は少ない。この実施形態では、プレート３に、より剛性の高いプレート３ａを設けるのが好ましい。
【００６３】
ここで、何らかの理由で、好ましくはプレート３を使用しない場合に、特に有用な、本発明によるシステムの実施形態について論じる。特に、少なくとも１つのユニットが、その外側に、スリーブ１の長さ方向に延びるとともに、それぞれのユニット２のスリーブの層方向に延びる平坦面を有する実施形態では、プレート３を有する必要性はない。
【００６４】
本発明によるシステムの実施形態では、ユニットはブロック形状の外形を有することができるので、プレート３は全く必要ない。完全を期すために、図５ａは、円形断面のスリーブを有するユニット２を示しており、図５ｂは、ブロック形状の外形を有するユニット２を示す。そのユニットを構成する各スリーブ１は、ブロック形状の断面を有すると考えることができる。図５ａ及び図５ｂに示されるスリーブ１の内径は同一である。
【００６５】
実際には、システムを通って延びるケーブルは、それぞれのスリーブ１に対して完全に同軸位置を有する可能性が低い。スリーブ１がケーブルの外径に対応する内径を有する場合にのみ、このような同軸構成が存在し得る。これは、内径が僅かに小さいスリーブ１にスリット１３が設けられ、且つスリット１３が閉じられずに存在するように、スリーブ１が僅かに大きな直径のケーブルの上に配置される場合に達成することができる。しかしながら、他の構成では、スリーブ１は幾分遊びを有した状態でケーブルを保持しており、着座部が変形しないように、ケーブルに力が及ぼされないという利点を有する。別の利点は、ケーブルが必ずしも導管７を通って厳密に直線状に延びる必要がないということである。このような直線から逸脱する際にある程度の柔軟性を有する。
【００６６】
スリーブ１から構成される積み重ねられたユニットは、シール材４が塗布される良好な構造を提供する。この目的のために、本発明によるシステムの一実施形態は、スタック２が導管７内で完成し且つケーブル１２が多数のスリーブ１によって保持されるときに、ユニット２のスタックに対して塗布されるシール材１１をスリーブ１の端部に含むことができる。シール材によって、システムがガス及び水に対して閉鎖状態になるだけでなく、スリーブが形成される材料の性質に合わせた特別なシール材を塗布してもよい。
【００６７】
最適な寸法設定のために、本発明によるシステムは、導管７をさらに含むことができ、この導管７内にぴったりフィットするようにユニット２のスタックを組み立てることができる。しかしながら、これは、導管７の長さがスリーブ１の長さに対応することを意味するものではない。理想的には、スリーブ１は導管７の長さよりも短く、それによって、依然として導管７内でスリーブ１の端部にシール材１１を塗布することができる。
【００６８】
スリーブ１は、特定のケーブルが導管７を通って延びることができる所定のキャビティを規定する機能を既に提供しているが、導管７内にぴったりとフィットするスタックの一部が、シール材１１が塗布される構造を提供するので、本発明による実施形態では、スリーブ１は、スリーブ１の機能性をさらに高めるために、熱膨張性のゴム状材料から作製される。熱に曝され、その熱が導管７を介して又は導管７を通って延びるケーブルを介してその材料に到達すると、この材料は膨張し、それにより導管７の完全な閉鎖を形成する。この閉鎖は、近くの火がシステムに影響を及ぼす前に、水及びガスに対するシールとしてのみ機能し得るシール材１１に追加することができる。
【００６９】
あるいはまた、スリーブは、加硫された熱的に実質的に非膨張性のゴム質材料から作製してもよく、スリーブは、ＷＯ０８／１０４２３７号に記載されているように機能する。
【００７０】
システムが１つ又は複数のプレート２を有する場合に、プレートは、スリーブが形成される材料と同様の材料から作製してもよい。しかしながら、プレートは、単一層のスリーブによって形成された、スリーブのユニットのいずれか１つの剛性よりも強固な構造又は材料特性を有することが好ましい。
【００７１】
図９及び図１０は、本発明によるシステムの可能な実施例の更なる洞察を提供する。提示される寸法は、本発明又はその使用を限定することを意図したものではなく、非常に実現可能な実施形態についての可能な寸法を示す。
【００７２】
図１１は、スリーブ１が外径と比較して相対的に小さい内径を有するユニット２を示す。これにより、スリーブの剛性が向上し、その結果、ユニットの安定性及びユニットが配置されるスタックの安定性が向上する。
【００７３】
図１２は、それぞれ、複数の内腔を含むスリーブ１を有するユニット２を示す。
【００７４】
図１３は、各スリーブ１にはスリット１３が設けられており、スリット１３は、導管を通って既に延びているケーブルをそれぞれのスリーブに挿入することを可能にするユニット２を示す。
【００７５】
図１４は、図８ａ及び図８ｂに示されるユニットと非常によく似たユニット２を示す。図１４は、スリーブ１の異なる内径及び外径のために互いに異なる寸法を有する多数のユニット２を示す。
【００７６】
図１５は、星形断面を有するシングル・スリーブ８の別の実施例を示しており、星形断面は、今のところケーブルが延びていないスリーブ内にケーブルを挿入するのに適している。シングル・スリーブ８は、ユニット２を構成するそのスリーブ１に強度を提供する。
【００７７】
図１６は、側部から視た、すなわちその軸線に沿って視ていない、シングル・スリーブを示す。スリーブには、閉じ込め内で自己固定のために軸線方向に分離された多数の外部リブが設けられており、リブは、そのスリーブのそのような自己固定を可能にする寸法を有する。
【００７８】
図１７は、本発明によるシステムの実施形態が設置された導管７を示す。
【００７９】
図１８は、ブロック形状の外形を有するユニット、すなわち、スリーブがブロック形状の断面を有するユニットを示す。
【００８０】
図１９は、図１８に示されるものと同様の実施形態を示す。しかしながら、導管の内側に面する可能性の高いユニットの部分には、閉じ込め内で自己固定のために軸線方向に分離された多数の外部リブが設けられており、リブは、そのような自己固定を可能にする寸法を有する。
【００８１】
図２０は、複数の層のスリーブを有し、且つブロック形状の外形を有するユニット２を示す。
【００８２】
図２１及び図２２は、ユニット２を導管７内に固定するためのスペーサＳを有する本発明によるシステムの実施形態を示す。これらのスペーサもまた、ユニットの材料の硬度とは異なる硬度を有するゴム質又はゴム状材料である。スペーサには、リブが設けられてもいなくてもよい。
【００８３】
先に示したように、密閉するために、例えば国際公開第０８／１０４２３７号に記載される図９及び図１０にも示されているように、理想的にはシール材が塗布される。
【００８４】
本発明は、図示される実施形態に限定されるものではない。多くの変更が可能である。ゴム質又はゴム状材料は、好ましくは耐火グレードである。しかしながら、例えばシステムが低圧又は比較的高圧下で水に晒され、これに耐えなければならない用途のために、非常に安定性の高い純粋なゴムの材料を有することも可能である。さらに、ユニットを構成するスタックの１つの層内で、ユニットを矩形形状に積み重ねることが依然として可能であれば、異なる直径のスリーブ１を有する異なるユニットを適用してもよい。スリーブ１及びプレート３が熱膨張性のゴム状材料から作製される場合に、異なるサプライヤによって供給されるスリーブ１及び／又はユニットとの混同が起こらないことを保証するために、黒色又は灰色とは異なる色で提供してもよい。このような混同は、スリーブ１及びケーブル１２の位置の望ましくない不正確な記録可能性だけでなく、最悪の状況下での機能不全を招く可能性がある。システムは、導管７及びシステムを通って延びる必要のあるケーブルの数及びケーブルのサイズに関して柔軟性を有する。このシステムは、一緒に連結された(tie-wrapped)比較的薄いケーブル束が延びる必要がある導管７に使用することもできる。
【００８５】
以下は各実施形態に当てはまる。
【００８６】
各スリーブは、好ましくは剥離可能な内層を有していないので、内径は好ましくは予め固定されている。
【００８７】
ユニットは、射出成形によって、好ましくは１回のショットによって作製され、そしていずれの場合も単一部品エンティティ(entity)として形成することができる。
【００８８】
理想的には、各ユニットは、スリーブの各内径とユニットの外形寸法との間に、連続的且つ一定の材料構造を有する。各ユニットは、ショアＡ硬度が６８〜７６の範囲のゴム質又はゴム状材料から作製されることが好ましい。
【００８９】
材料は、好ましくはシリコン系であり、理想的には均質である。
【００９０】
各スリーブは、ケーブルに対してシール特性を有さないことが好ましい。
【００９１】
本発明によるシステムの使用は、
・システムを導管内に設けて、ユニットのスタックを形成するステップと、
・多数のケーブルが導管内に保持されるように、スタック内の多数のスリーブを通るケーブルを引っ張るステップであって、各ケーブルがそれ自体のスリーブを有しており、各ケーブルは、それぞれのケーブルが保持されるスリーブの内径よりも小さい外径を有する、引っ張るステップと、を含む。
【００９２】
この使用は、スリーブ内の空いている空間を密閉するように、スリーブの端部でスタックに対してシール材の層を設けるステップをさらに含むことができる。
【００９３】
本発明によるシステムは、ユニットのスタックとして配置されたユニットを導管内に有し、且つ多数のスリーブを通って延びるケーブルを有するようにさらに構成され、それにより多数のケーブルを導管内に保持することができ、各ケーブルがそれ自体のスリーブを有しており、各ケーブルは、それぞれのケーブルが保持されるスリーブの内径よりも小さい外径を有する。
【００９４】
このようなシステムは、スリーブ内の空いている空間を密閉するように、スリーブの端部でユニットのスタックに対してシール材の層をさらに設けることができる。
【図１】
2017529494.tif 000003
【図２ａ】
2017529494.tif 000004
【図２ｂ】
2017529494.tif 000005
【図３】
2017529494.tif 000006
【図４】
2017529494.tif 000007
【図５ａ】
2017529494.tif 000008
【図５ｂ】
2017529494.tif 000009
【図６ａ】
2017529494.tif 000010
【図６ｂ】
2017529494.tif 000011
【図７】
2017529494.tif 000012
【図８ａ】
2017529494.tif 000013
【図８ｂ】
2017529494.tif 000014
【図９】
2017529494.tif 000015
【図１０】
2017529494.tif 000016
【図１１】
2017529494.tif 000017
【図１２】
2017529494.tif 000018
【図１３】
2017529494.tif 000019
【図１４】
2017529494.tif 000020
【図１５】
2017529494.tif 000021
【図１６】
2017529494.tif 000022
【図１７】
2017529494.tif 000023
【図１８】
2017529494.tif 000024
【図１９】
2017529494.tif 000025
【図２０】
2017529494.tif 000026
【図２１】
2017529494.tif 000027
【図２２】
2017529494.tif 000028
【国際調査報告】
2017529494.tif 000029
2017529494.tif 000030
2017529494.tif 000031
2017529494.tif 000032
2017529494.tif 000033